(57)【特許請求の範囲】
【請求項１】
複数のワークを電着処理を行いながら一定の搬送ピッチでワーク搬送方向に間欠的に順送りするワーク電着塗装方法であって、
前記各ワークの上端部から両側方に突出した１対のサイド突部を載置して、前記ワークを電着処理液に浸けた状態に保持するための載置部をワーク搬送領域の両側に備えると共に、前記ワーク搬送方向に前記搬送ピッチと同じ間隔をあけて配置された複数のワークリフト部を共通の搬送ベース部材に固定して備えておき、
全ての前記ワークリフト部が、上昇して各前記ワークの一部に当接した後、前記ワークをリフトする第１動作と、全ての前記ワークリフト部が、前進して各前記ワークを搬送する第２動作と、全ての前記ワークリフト部が、降下して各前記ワークを前記載置部に載置した後、前記ワークの一部から離間する第３動作と、全ての前記ワークリフト部が、後退して次の前記ワークの一部の下方位置に移動する第４動作とを行うように、前記搬送ベース部材に、上昇、前進、降下、後退からなるサイクル動作を行わせるワーク電着塗装方法において、
前記複数のワークリフト部として、前記ワークを前記電着処理液から抜き出した状態で搬送するために前記第１動作の比較的初期段階で前記ワークの一部に当接する位置に配置されて、前記第１動作で前記ワークを前記電着処理液から抜き出す抜出用ワークリフト部と、前記ワークを前記電着処理液に浸けた状態で搬送するために前記第１動作の比較的終期段階で前記ワークの一部に当接する位置に配置されて、前記第１動作で前記ワークを前記電着処理液から抜き出さずに前記サイド突部を前記載置部から上方に離間させる浸漬維持用ワークリフト部との２種類のワークリフト部を設けておくことで、電着塗装工程の途中で前記電着処理液から前記ワークを取り出して前記ワークに付着した気泡を除去可能とし、
前記ワーク搬送方向のうち下流側の方が上流側より前記浸漬維持用ワークリフト部が連続して並ぶ数が多くなるように配置しておくことで、前記ワークを前記電着処理液から取り出さずに浸けておく連続浸漬時間を、前記電着塗装工程の開始からの時間経過に伴って長くすることを特徴とする電着塗装方法。
【請求項２】
前記連続浸漬時間中に前記ワークに振動を付与することを特徴とする請求項１に記載の電着塗装方法。
【請求項３】
前記電着塗装工程の開始からの時間経過に伴って前記ワークに付与する振動の周波数又は振幅を小さくすることを特徴とする請求項２に記載の電着塗装方法。
【請求項４】
前記請求項１乃至３の何れか１の請求項に記載の電着塗装方法を用いて、表面に塗料が電着した部品を製造することを特徴とする塗装部品の製造方法。
【請求項５】
複数のワークを電着処理を行いながら一定の搬送ピッチでワーク搬送方向に間欠的に順送りするために、前記各ワークの上端部から両側方に突出した１対のサイド突部を載置して前記ワークを電着処理液に浸けた状態に保持するための載置部がワーク搬送領域の両側に備えられると共に、前記ワーク搬送方向に前記搬送ピッチと同じ間隔をあけて配置された複数のワークリフト部が共通の搬送ベース部材に固定され、
全ての前記ワークリフト部が、上昇して各前記ワークの一部に当接した後、前記ワークをリフトする第１動作と、全ての前記ワークリフト部が、前進して各前記ワークを搬送する第２動作と、全ての前記ワークリフト部が、降下して各前記ワークを前記載置部に載置した後、前記ワークの一部から離間する第３動作と、全ての前記ワークリフト部が、後退して次の前記ワークの一部の下方位置に移動する第４動作とを行うように、前記搬送ベース部材に、上昇、前進、降下、後退からなるサイクル動作を行わせる電着塗装用ワーク搬送装置において、
前記複数のワークリフト部として、前記ワークを前記電着処理液から抜き出した状態で搬送するために前記第１動作の比較的初期段階で前記ワークの一部に当接する位置に配置されて、前記第１動作で前記ワークを前記電着処理液から抜き出す抜出用ワークリフト部と、前記ワークを前記電着処理液に浸けた状態で搬送するために前記第１動作の比較的終期段階で前記ワークの一部に当接する位置に配置されて、前記第１動作で前記ワークを前記電着処理液から抜き出さずに前記サイド突部を前記載置部から上方に離間させる浸漬維持用ワークリフト部との２種類のワークリフト部を設けて、
前記ワーク搬送方向のうち下流側の方が上流側より前記浸漬維持用ワークリフト部が連続して並ぶ数が多くなるように配置したことを特徴とする電着塗装用ワーク搬送装置。
【請求項６】
前記載置部を振動させることで前記ワークに振動を付与する振動源を備えたことを特徴とする請求項５に記載の電着塗装用ワーク搬送装置。
【請求項７】
前記載置部は、前記ワーク搬送方向で複数に分割し、前記ワーク搬送方向の下流側の前記載置部が受ける振動の周波数又は振幅が、上流側の前記載置部が受ける振動の周波数又は振幅より小さくなるように、前記振動源を複数設けたことを特徴とする請求項６に記載の電着塗装用ワーク搬送装置。
【発明の詳細な説明】
【技術分野】
【０００１】
本発明は、電着塗装方法、塗装部品の製造方法及び電着塗装用ワーク搬送装置に関する。
【背景技術】
【０００２】
一般的に、電着塗装では、電着被膜の生成過程で水の電気分解により水素ガスが発生する。この水素ガスやその他ガスの気泡が電着被膜の中に入り込むと、所謂、「ガスピンホール」という欠陥の原因となり得るため、ワークに付着した気泡の除去は必須である。これに対し、従来の電着塗装方法として、電着処理槽の内部で電着処理液を一方向に流動させて、その電着処理液の流れによってワークに付着した気泡を除去するようにしたものが知られている（例えば、特許文献１参照）。
【先行技術文献】
【特許文献】
【０００３】
【特許文献１】特開２００１−２００９４号公報（段落［０００５］、第１図）
【発明の概要】
【発明が解決しようとする課題】
【０００４】
しかしながら、上述した従来の電着塗装方法では、電着処理液の流れの向きと対向した部分の気泡は除去できるものの、その裏側の気泡を除去することが困難であった。また、処理液の流速を上げて気泡を除去しようとすると、不純物が舞い上がり、所謂「ブツ」と呼ばれる塗装不良の原因となる。
【０００５】
本発明は、上記事情に鑑みてなされたものであって、ブツの発生を抑制しかつワークに付着した気泡を確実に除去することが可能な電着塗装方法、塗装部品の製造方法及び電着塗装用ワーク搬送装置の提供を目的とする。
【課題を解決するための手段】
【０００７】
上記目的を達成するためになされた請求項１の発明に係る電着塗装方法は、複数のワークを電着処理を行いながら一定の搬送ピッチでワーク搬送方向に間欠的に順送りするワーク電着塗装方法であって、各ワークの上端部から両側方に突出した１対のサイド突部を載置して、ワークを電着処理液に浸けた状態に保持するための載置部をワーク搬送領域の両側に備えると共に、ワーク搬送方向に搬送ピッチと同じ間隔をあけて配置された複数のワークリフト部を共通の搬送ベース部材に固定して備えておき、全てのワークリフト部が、上昇して各ワークの一部に当接した後、ワークをリフトする第１動作と、全てのワークリフト部が、前進して各ワークを搬送する第２動作と、全てのワークリフト部が、降下して各ワークを載置部に載置した後、ワークの一部から離間する第３動作と、全てのワークリフト部が、後退して次のワークの一部の下方位置に移動する第４動作とを行うように、搬送ベース部材に、上昇、前進、降下、後退からなるサイクル動作を行わせるワーク電着塗装方法において、複数のワークリフト部として、ワークを電着処理液から抜き出した状態で搬送するために第１動作の比較的初期段階でワークの一部に当接する位置に配置されて、第１動作でワークを電着処理液から抜き出す抜出用ワークリフト部と、ワークを電着処理液に浸けた状態で搬送するために第１動作の比較的終期段階でワークの一部に当接する位置に配置されて、第１動作でワークを電着処理液から抜き出さずにサイド突部を載置部から上方に離間させる浸漬維持用ワークリフト部との２種類のワークリフト部を設けておくことで、電着塗装工程の途中で電着処理液からワークを取り出してワークに付着した気泡を除去可能とし、ワーク搬送方向のうち下流側の方が上流側より浸漬維持用ワークリフト部が連続して並ぶ数が多くなるように配置しておくことで、ワークを電着処理液から取り出さずに浸けておく連続浸漬時間を、電着塗装工程の開始からの時間経過に伴って長くするところに特徴を有する。
【０００８】
請求項２の発明は、請求項１に記載の電着塗装方法において、連続浸漬時間中にワークに振動を付与するところに特徴を有する。
【０００９】
請求項３の発明は、請求項２に記載の電着塗装方法において、電着塗装工程の開始からの時間経過に伴ってワークに付与する振動の周波数又は振幅を小さくするところに特徴を有する。
【００１０】
請求項４の発明に係る塗装部品の製造方法は、請求項１乃至３の何れか１の請求項に記載の電着塗装方法を用いて、表面に塗料が電着した部品を製造するところに特徴を有する。
【００１１】
請求項５の発明に係る電着塗装用ワーク搬送装置は、複数のワークを電着処理を行いながら一定の搬送ピッチでワーク搬送方向に間欠的に順送りするために、各ワークの上端部から両側方に突出した１対のサイド突部を載置してワークを電着処理液に浸けた状態に保持するための載置部がワーク搬送領域の両側に備えられると共に、ワーク搬送方向に搬送ピッチと同じ間隔をあけて配置された複数のワークリフト部が共通の搬送ベース部材に固定され、全てのワークリフト部が、上昇して各ワークの一部に当接した後、ワークをリフトする第１動作と、全てのワークリフト部が、前進して各ワークを搬送する第２動作と、全てのワークリフト部が、降下して各ワークを載置部に載置した後、ワークの一部から離間する第３動作と、全てのワークリフト部が、後退して次のワークの一部の下方位置に移動する第４動作とを行うように、搬送ベース部材に、上昇、前進、降下、後退からなるサイクル動作を行わせる電着塗装用ワーク搬送装置において、複数のワークリフト部として、ワークを電着処理液から抜き出した状態で搬送するために第１動作の比較的初期段階でワークの一部に当接する位置に配置されて、第１動作でワークを電着処理液から抜き出す抜出用ワークリフト部と、ワークを電着処理液に浸けた状態で搬送するために第１動作の比較的終期段階でワークの一部に当接する位置に配置されて、第１動作でワークを電着処理液から抜き出さずにサイド突部を載置部から上方に離間させる浸漬維持用ワークリフト部との２種類のワークリフト部を設けて、ワーク搬送方向のうち下流側の方が上流側より浸漬維持用ワークリフト部が連続して並ぶ数が多くなるように配置したところに特徴を有する。
【００１２】
請求項６の発明は、請求項５に記載の電着塗装用ワーク搬送装置において、載置部を振動させることでワークに振動を付与する振動源を備えたところに特徴を有する。
【００１３】
請求項７の発明は、請求項６に記載の電着塗装用ワーク搬送装置において、載置部は、ワーク搬送方向で複数に分割し、ワーク搬送方向の下流側の載置部が受ける振動の周波数又は振幅が、上流側の載置部が受ける振動の周波数又は振幅より小さくなるように、振動源を複数設けたところに特徴を有する。
【発明の効果】
【００１４】
［請求項１，４及び５の発明］
一般に、電着被膜の生成時に発生する水素ガスは、電着塗装工程の序盤ほど多く発生し、電着塗装工程の終盤に向かうに従って徐々に少なくなる。これに対し、請求項１，４及び５の発明によれば、連続浸漬期間の長さを電着塗装工程の開始からの時間経過に伴って長くした。つまり、気泡が比較的多く発生し得る電着塗装工程の序盤は連続浸漬期間を比較的短くし、気泡の発生が少なくなる終盤に向かうに従って連続浸漬期間を長くした。
【００１５】
このように、請求項１，４及び５の発明によれば、電着塗装工程の途中でワークを電着処理液から取り出して、ワーク又は電着被膜の表面全体を大気に触れさせるようにしたことで、ワークの部位に拘わらず、付着している気泡を確実に除去（消泡）することができる。これにより、ブツ及びガスピンホールを防止した高品質な塗装部品を製造することができる。しかも、気泡の発生量に応じたタイミングでワークを電着処理液から取り出すので、気泡の付着量に対して電着処理液から取り出しておく時間が過不足となることが防がれ、効率的に気泡を除去することができる。
【００１７】
なお、電着処理液から取り出したワークはそのまま放置するだけでもよいし、電着処理液から取り出したワークに振動を加えたり、風、液体を付与して気泡を除去するようにしてもよい。
【００１８】
［請求項２及び６の発明］
請求項２及び６の発明によれば、ワークに付着している気泡を、電着処理液に浸した状態でも除去することができる。
【００１９】
［請求項３及び７の発明］
請求項３及び７の発明によれば、気泡の発生量（気泡の付着量）に応じた振動で気泡を除去することができる。
【図面の簡単な説明】
【００２０】
【図１】本発明の第１実施形態に係る電着塗装用ワーク搬送装置の浸漬維持用ワークリフト部が降下した状態の電着塗装装置の正断面図
【図２】抜出用ワークリフト部が降下した状態の電着塗装装置の正断面図
【図３】浸漬維持用ワークリフト部が上昇した状態の電着塗装装置の正断面図
【図４】抜出用ワークリフト部が上昇した状態の電着塗装装置の正断面図
【図５】電着塗装用ワーク搬送装置及びワークの斜視図
【図６】ワークリフト部が後退した状態の電着塗装装置の側断面図
【図７】ワークリフト部が上昇した状態の電着塗装装置の側断面図
【図８】ワークリフト部が前進した状態の電着塗装装置の側断面図
【図９】ワークリフト部が降下した状態の電着塗装装置の側断面図
【図１０】第２実施形態に係る電着塗装装置の側断面図
【図１１】第３実施形態に係る電着塗装装置の側断面図
【図１２】変形例に係る電着塗装用ワーク搬送装置の概念図
【発明を実施するための形態】
【００２１】
［第１実施形態］
以下、本発明の第１実施形態を図１〜図９を参照しつつ説明する。電着塗装装置１０は、図６に示すように、水平方向に延びた電着浴槽１１を備え、その電着浴槽１１に電着処理液が貯留されている。塗装対象部品であるワークＷは、本発明に係る電着塗装用ワーク搬送装置５５（以下、「ワーク搬送装置５５」という）によって電着処理液に対して挿抜されながら電着浴槽１１の長手方向の一端から他端（図６における左から右）に向けて一定の搬送ピッチで間欠的に搬送される。そして、電着処理液に浸されている間に、電着処理液中に配置された電極（図示せず）とワークＷとの間で通電が行われて、ワークＷの表面に電着塗料による被膜が形成される。また、電着処理液はポンプ１５によって循環しており、電着浴槽１１内では、例えば、ワークＷが搬送される向きと逆向きの流れ（対向流）となっている。以下の説明では、「電着浴槽１１の長手方向の一端側」を「ワーク搬送方向の上流側」といい、「電着浴槽１１の長手方向の他端側」を「ワーク搬送方向の下流側」という。
【００２２】
図５には、ワークＷの一例としてのモータ用の電磁コイルが示されている。同図に示すように、電磁コイルは、偏平断面の銅線を巻回軸方向から見て四角形になるように巻回すると共に、１対の端末部Ｗｂ，Ｗｂを巻回部Ｗａの四角形の一辺から同じ方向に直線状に突出させた構造になっている。そして、この電磁コイルにおける巻回部Ｗａの全体が電着処理液に浸されて塗装（例えば、絶縁塗装）が行われる。なお、本実施形態ではワークＷとして電磁コイルのみを例示するが、電磁コイルに限定するものではなく、例えば、自動車のボディや建材、その他、ここでは例示しない部品をワークＷとしてもよい。
【００２３】
図５に示すように、ワークＷはワークホルダ３０によって保持されている。ワークホルダ３０は、ホルダ本体３１とホルダ本体３１から側方に突出した１対のサイド突部３２，３２とから構成されている。ホルダ本体３１には１対の保持孔３１Ａ，３１Ａが貫通形成されており、それら保持孔３１Ａ，３１ＡにワークＷにおける１対の端末部Ｗｂ，Ｗｂを挿入した状態で抜け止め可能となっている。また、サイド突部３２，３２は、ホルダ本体３１から互いに相反する方向に突出しており、例えば、四角柱形状をなしている。
【００２４】
図６に示すように、電着浴槽１１の上方には載置部４０が備えられている。載置部４０は、ワーク搬送装置５５によるワーク搬送領域の両側に沿って互いに平行に延びた１対の帯状部材４１，４１で構成されており（図５参照）、それら帯状部材４１，４１の上面には、長手方向に一定の搬送ピッチＰ１分の間隔を空けて複数の載置溝４２，４２が陥没形成されている。載置溝４２，４２は、サイド突部３２，３２の形状に合わせてＶ字形をなしており、載置溝４２，４２にサイド突部３２，３２が嵌合可能となっている。なお、サイド突部３２，３２及び載置溝４２，４２を上記形状としたことで、載置部４０に載置されたワークＷが安定する。
【００２５】
ワーク搬送装置５５は、図示しない駆動源の動力によって後述するサイクル動作を行う搬送ベース部材５０と、搬送ベース部材５０に固定された複数のワークリフト部５１，５２とを備えている。
【００２６】
搬送ベース部材５０は載置部４０の上方に配置され、電着浴槽１１の長手方向、即ち、ワーク搬送方向に延びた縦長構造をなしている。搬送ベース部材５０は、電着浴槽１１の上方に向かって所定の昇降ストロークＳ１分だけ垂直移動する「上昇」、ワーク搬送方向の下流側に向かって一定の搬送ピッチＰ１分だけ水平移動する「前進」、電着浴槽１１に向かって所定の昇降ストロークＳ１分だけ垂直移動する「降下」及びワーク搬送方向の上流側に向かって一定の搬送ピッチＰ１分だけ水平移動する「後退」の４つの動作を１サイクルの動作とし、この１サイクルの動作を繰り返すようになっている（図６〜図９参照）。
【００２７】
複数のワークリフト部５１，５２は、ワーク搬送方向に一定の搬送ピッチＰ１分ずつ間隔を空けて一列に並べて配置されており、搬送ベース部材５０と一体となって「上昇」、「前進」、「降下」及び「後退」のサイクル動作を行う。なお、搬送ベース部材５０及びワークリフト部５１，５２のサイクル動作は電着浴槽１１の外側で行われ、搬送ベース５０及びワークリフト部５１，５２が電着処理液に浸かることはない（図１〜図４参照）。
【００２８】
各ワークリフト部５１，５２は、電着浴槽１１の幅方向で対向した１対のハンガーアーム５３，５３にて構成されている。１対のハンガーアーム５３，５３は、搬送ベース部材５０から垂下しかつ下端部が内側に直角に折れ曲がったフック形状をなしており、そのフック部５３Ｆ，５３Ｆの上面には、ワークホルダ３０のサイド突部３２，３２の形状に合わせてＶ字形の突部受溝５４がそれぞれ形成されている（図５参照）。そして、各突部受溝５４，５４にサイド突部３２，３２が係合可能となっている。なお、サイド突部３２，３２及び突部受溝５４，５４を上記形状としたことで、後述するようにワークリフト部５１，５２にてワークＷをリフトしたときに、ワークＷが安定する。
【００２９】
複数のワークリフト部５１，５２は、浸漬維持用のワークリフト部５１と抜出用のワークリフト部５２の２種類で構成されており、抜出用のワークリフト部５２に比べて、浸漬維持用のワークリフト部５１の方が下方（電着浴槽１１側）に突出している。即ち、抜出用のワークリフト部５２に比べて浸漬維持用のワークリフト部５１は、フック部５３Ｆ，５３Ｆが下方に位置している。浸漬維持用と抜出用のワークリフト部５１，５２の違いはこの点だけである。
【００３０】
ワークリフト部５１，５２の配列は、以下のようになっている。即ち、ワーク搬送方向における上流側（図６おける左側）では、浸漬維持用と抜出用のワークリフト部５１，５２が１個ずつ交互に配置されている。これに対し、ワーク搬送方向の下流側（図６における右側）では、浸漬維持用のワークリフト部５１が複数個（例えば、２個）連続して配置されている。本実施形態の構成は以上である。
【００３１】
次に、本実施形態の動作について説明する。ワークＷに対して電着塗装を行う場合には、脱脂処理等の前工程を終えたワークＷを、ワークホルダ３０を介して載置部４０におけるワーク搬送方向の上流端位置に載置して電着処理液に浸けておく。そして、ワーク搬送装置５５が起動すると、載置部４０に載置されたワークＷがワーク搬送方向の下流側に向けて一定の搬送ピッチＰ１ずつ間欠的に搬送される。その搬送過程で電着浴槽１１内の電極（図示せず）とワークＷとの間で通電が行われて、ワークＷの表面に電着被膜が生成する。ワーク搬送方向の下流端まで到達したワークＷは、電着浴槽１１から引き揚げられて、後工程（例えば、水洗工程、焼き付け工程等）に搬送される。
【００３２】
ところで、電着被膜の生成過程では、水の電気分解により水素ガスが発生し、ワークＷや電着被膜の表面に気泡となって付着し得る。その気泡を除去するために、ワーク搬送装置５５は、電着塗装工程の途中（ワークＷの搬送途中）で複数回に亘ってワークＷを電着処理液から取り出す。
【００３３】
また、電着被膜の生成時に発生する水素ガスは、電着塗装工程の序盤ほど多く発生し、電着塗装工程の終盤に向かうに従って徐々に少なくなる。そこで、本実施形態のワーク搬送装置５５は、ワークＷを電着処理液から取り出さずに浸しておく期間（以下、「連続浸漬期間」という）に長短の変化をつけて動作する。具体的には、電着塗装工程の序盤は連続浸漬期間を短くし、終盤に連続浸漬期間を長くするように動作する。
【００３４】
具体的には、図６に示すように、ワーク搬送装置５５の搬送ベース部材５０が、搬送ピッチの後端位置でかつ昇降ストロークの下端位置に配置されているとき、全てのワークＷはワークホルダ３０を介して載置部４０に載置されており、電着処理液に浸かった状態に保持されている（図１及び図２参照）。
【００３５】
この状態から、搬送ベース部材５０が所定の昇降ストロークＳ１分だけ「上昇」すると、その上昇過程で、各ワークリフト部５１，５２のフック部５３Ｆ，５３Ｆと載置部４０とがすれ違い、その際に各ワークリフト部５１，５２が載置部４０からワークＷを受け取って全てのワークＷが載置部４０から持ち上げられる（本発明の「第１動作」に相当する）。詳細には、上昇過程の比較的初期段階で、抜出用のワークリフト部５２が載置部４０からワークＷを受け取り、上昇過程の比較的終期段階で浸漬維持用のワークリフト部５１が載置部４０からワークＷを受け取る。
【００３６】
そして、図７に示すように搬送ベース部材５０が昇降ストロークの上端位置に至ったとき、浸漬維持用のワークリフト部５１にてリフトされたワークＷ（巻回部Ｗａ）は電着処理液に浸されたままであるのに対し、抜出用のワークリフト部５２にてリフトされたワークＷは、電着処理液から完全に抜き取られる（図３及び図４参照）。
【００３７】
次いで、搬送ベース部材５０は、ワーク搬送方向に一定の搬送ピッチＰ１分だけ「前進」する。すると、図８に示すように、各ワークリフト部５１，５２にリフトされた全てのワークＷも、一定の搬送ピッチＰ１分だけぞれぞれ前進する（本発明の「第２動作」に相当する）。このとき、浸漬維持用のワークリフト部５１にてリフトされたワークＷは、電着処理液に浸かったまま前進し、抜出用のワークリフト部５２にてリフトされたワークＷは電着処理液から取り出されたまま前進する。そして、ワークＷが電着処理液から取り出されて大気に触れている間に、ワークＷ又は電着被膜の表面に付着している気泡は自然に消滅する。
【００３８】
搬送ベース部材５０は、搬送ピッチの前端位置に到達すると、次いで所定の昇降ストロークＳ１分だけ「降下」する。その降下過程で、各ワークリフト部５１，５２のフック部５３Ｆ，５３Ｆと載置部４０とがすれ違い、その際に各ワークリフト部５１，５２から載置部４０へとワークＷが受け渡される（本発明の「第３動作」に相当する）。詳細には、降下過程の比較的初期段階で、浸漬維持用のワークリフト部５１から載置部４０へとワークＷが受け渡され、降下過程の比較的終期段階で抜出用のワークリフト部５２から載置部４０へとワークＷが受け渡される。そして、図９に示すように、搬送ベース部材５０が昇降ストロークの下端位置に至ったとき、全てのワークＷは電着処理液に浸かった状態に保持される。その後、搬送ベース部材５０が、ワーク搬送方向に一定の搬送ピッチＰ１分だけ「後退」すると、全てのワークリフト部５１，５２のフック部５３Ｆ，５３Ｆが次のワークＷ（詳細には、ワークホルダ３０のサイド突部３２，３２）の下方位置に移動し（本発明の「第４動作」に相当する）、以下、「上昇」、「前進」、「降下」、「後退」の動作を繰り返して、複数のワークＷを一定の搬送ピッチＰ１分ずつ間欠的に搬送する。
【００３９】
ここで、ワーク搬送装置５５には、ワーク搬送方向の上流側で、浸漬維持用と抜出用のワークリフト部５１，５２が１個ずつ交互に配置される一方、ワーク搬送方向の下流側で、浸漬維持用のワークリフト部５１が複数個（例えば、２個）連続するように配置されている。そして、上述したように抜出用のワークリフト部５２にてワークＷがリフトされた場合に限り、ワークＷが電着処理液から取り出されるので、電着塗装工程の序盤では、ワークＷの連続浸漬期間が比較的短くなり、電着塗装工程の終盤ではワークＷの連続浸漬期間が比較的長くなる。
【００４０】
即ち、気泡が比較的多く発生し得る電着塗装工程の序盤は、電着処理液からワークＷを取り出す時間間隔が短くなっており、気泡の発生が少なくなる電着塗装工程の終盤は電着処理液からワークＷを取り出す時間間隔が比較的長くなっている。
【００４１】
このように本実施形態によれば、電着塗装工程の途中でワークＷを電着処理液から取り出して、ワークＷ又は電着被膜の表面全体を大気に触れさせるようにしたことで、ワークＷの部位に拘わらず、気泡を確実に除去（消泡）することができる。これにより、ブツ及びガスピンホールを防止した高品質の塗装部品（本実施形態では、電磁コイル）を製造することができる。しかも、気泡の発生量に応じたタイミングでワークＷを電着処理液から取り出すので、気泡の付着量に対して電着処理液から取り出しておく時間が過不足となることが防がれ、効率的に気泡を除去（消泡）することができる。
【００４２】
［第２実施形態］
本実施形態は図１０に示されている。同図に示すように、載置部４０には、例えば超音波振動を発生する振動源６０が接続されており、載置部４０（帯状部材４１，４１）を振動させることで、その載置部４０に載置されたワークＷを振動させるようになっている。即ち、電着処理液に浸かった状態のワークＷを振動させることで、そのワークＷに付着している気泡を分離除去することが可能となっている。なお、振動源６０の振動は、載置部４０におけるワーク搬送方向の上流側、下流側或いはそれらの中間の何れの位置に入力してもよい。その他の構成は、上記第１実施形態と同一であるため、同じ構成については同一符号を付すことで重複する説明は省略する。本実施形態によれば、上記第１実施形態と同等の効果を奏すると共に、ワークＷが電着処理液に浸かっている間も気泡を除去することができるから、電着被膜への気泡残り（ガスピンホールの発生）をより確実に防止することができる。
【００４３】
［第３実施形態］
本実施形態は図１１に示されている。同図に示すように、載置部４０はワーク搬送方向で複数に分割され、それら複数の各載置部４０，４０に対してそれぞれ振動源６０，６０が備えられている点が、上記第２実施形態とは異なる。本実施形態では、ワーク搬送方向の下流側の載置部４０が受ける振動の周波数又は振幅が、上流側の載置部４０が受ける振動の周波数又は振幅よりも小さくなるように構成されており、気泡の発生量（気泡の付着量）に応じた振動の強さで気泡を分離除去することができる。その他の構成は上記第２実施形態と同じであるため、重複する説明は省略する。本実施形態によっても、上記第２実施形態と同等の効果を奏する。
【００４４】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４５】
（１）上記第１〜第３実施形態では、電着処理液からワークＷを取り出してワークＷに付着した気泡を大気中で自然消滅させていたが、例えば、電着処理液の粘度が高いような場合には、電着処理液から取り出したワークＷに対して、振動、風、液体を付与して強制的に気泡を除去（消泡）するようにしてもよい。振動を付与する場合には、ワークリフト部５１，５２を振動させればよい。また、液体を付与する場合には、電着浴槽１１内と同一成分の電着処理液を使用（例えば、電着浴槽１１内の電着処理液を汲み上げて使用）することが好ましい。
【００４７】
（２）浸漬維持用と抜出用のワークリフト部５１，５２の個数及び配列は、上記第１〜第３実施形態に例示したものに限定するものではなく、本発明の要旨を逸脱しない範囲で個数及び配列を変更してもよい。
【００４８】
（３）ワーク搬送装置は、上記第１〜第３実施形態のように、前進、降下、後退、上昇の１サイクルの動作を繰り返すものでなくてもよく、例えば、図１２に示すように、ワークＷを吊り下げて保持可能な複数のワークリフト部５６，５６がガイドレール５７上を電着浴槽１１の一端から他端へと移動する過程で、ガイドレール５７のアップダウンにより上下動する構成としてもよい。
【００４９】
（４）上記第２実施形態において、載置部４０におけるワーク搬送方向の上流端に振動源６０の振動が入力するようにしておき、振動の距離減衰により、ワーク搬送方向の下流側に向かうに従ってワークＷが受ける振動が穏やかになるような構成としてもよい。
【００５０】
（５）上記第２及び第３実施形態では、ワークＷに振動を付与していたが、電着処理液中に振動源を配置して電着処理液を振動（例えば、超音波振動）させることで気泡を除去するようにしてもよい。
【００５１】
（６）上記第１〜第３実施形態では、ワークＷをワークリフト部５１，５２と載置部４０との間で授受可能するためにワークホルダ３０にてワークＷを保持していたが、ワークＷ自体がワークホルダ３０における１対のサイド突部３２，３２に相当する部位を有している場合には、ワークホルダ３０は不要である。
【００５２】
（７）上記第１実施形態では、載置部４０が電着浴槽１１とは別体で設けられていたが、載置部は電着浴槽１１と一体でもよい。即ち、電着浴槽１１の幅方向の上端部を載置部としてもよい。
【符号の説明】
【００５３】
１０    電着塗装装置
１１    電着浴槽
３０    ワークホルダ
３２    サイド突部
４０    載置部
５０    搬送ベース部材
５１    浸漬維持用のワークリフト部
５２    抜出用のワークリフト部
５５    電着塗装用ワーク搬送装置
６０    振動源
Ｗ    ワーク
【図１】
0005721136.tif 000002
【図２】
0005721136.tif 000003
【図３】
0005721136.tif 000004
【図４】
0005721136.tif 000005
【図５】
0005721136.tif 000006
【図６】
0005721136.tif 000007
【図７】
0005721136.tif 000008
【図８】
0005721136.tif 000009
【図９】
0005721136.tif 000010
【図１０】
0005721136.tif 000011
【図１１】
0005721136.tif 000012
【図１２】
0005721136.tif 000013